(57)【特許請求の範囲】
【請求項１】
平衡増幅回路と、この平衡増幅回路の一方の端子と他方の端子との間に接続されたインダクタとキャパシタの並列接続回路と、前記一方の端子から第１のバッファ回路を介して出力される第１の出力端子と、前記他方の端子から第２のバッファ回路を介して出力される第２の出力端子とから成り、前記インダクタの切替えによりローバンドとハイバンドの周波数を前記出力端子から出力するとともに、外部から供給される電圧で前記周波数の１０分の１以下の範囲内で可変可能な周波数が出力される移動体通信用発振器であって、前記平衡増幅回路と前記バッファ回路とは一つのパッケージ内に集積されるとともに、前記インダクタは第１のインダクタと、電源に接続された中間点を有する第２のインダクタとで構成された第１の直列接続体で形成されるとともに、前記第１のインダクタを略同じインダクタ値に２分割し、この２分割された前記第１のインダクタの間に前記第２のインダクタを接続し、前記キャパシタは、制御入力端子から供給される電圧で静電容量が可変されるバリキャップダイオードと、ハイバンドにおける出力周波数の周波数感度を調整する第１のコンデンサと、ローバンドにおける出力周波数の周波数感度を調整する第２のコンデンサとが直列に接続された第２の直列接続体で形成され、前記第２のインダクタの両端に接続されるとともに前記出力周波数をローバンドとハイバンドに切替える第１のスイッチ手段と、前記第１のコンデンサの両端に接続されるとともにローバンドとハイバンドの周波数感度を略等しくする第２のスイッチ手段を設け、前記第１のスイッチ手段と前記第２のスイッチ手段とはスイッチ端子から入力される第１の信号で前記第１のスイッチ手段を開放するとともに前記第２のスイッチ手段を短絡し、前記スイッチ端子から入力される第２の信号で前記第１のスイッチ手段を短絡するとともに前記第２のスイッチ手段を開放して前記出力端子から出力されるローバンドとハイバンドとの周波数切替えと、ローバンドとハイバンドとの周波数感度を略等しくした移動体通信用発振器。
【請求項２】
バリキャップダイオードと並列に第３のコンデンサが接続された請求項１に記載の移動体通信用発振器。
【請求項３】
第１のインダクタと第２のインダクタはパターンで形成された請求項１に記載の移動体通信用発振器。
【請求項４】
第１のインダクタをトリミングしてハイバンドの出力周波数を調整した後、第２のインダクタをトリミングしてローバンドの出力周波数を調整する請求項３に記載の移動体通信用発振器。
【請求項５】
多層基板の内層にインダクタが形成されるとともに、このインダクタの上層或いは下層はグランドパターンが除去された請求項４に記載の移動体通信用発振器。
【請求項６】
多層基板の内層にインダクタが形成されるとともに、このインダクタの一部をビアホールで表面に導出し、前記インダクタの一部をトリミングすることにより周波数を調整する請求項４に記載の移動体通信用発振器。
【請求項７】
スイッチ手段は、第１のコンデンサと第２のインダクタの両端に夫々スイッチングダイオードを接続し、これらのスイッチングダイオードの両端に外部から電圧を加えることにより、開放・短絡を制御する請求項１に記載の移動体通信用発振器。
【発明の詳細な説明】
【０００１】
【発明の属する技術分野】
本発明は、移動体通信装置に使用される移動体通信用発振器に関するものである。
【０００２】
【従来の技術】
近年移動体通信は、急激な普及が進んでおり当初割当てられた周波数帯だけではサービスが提供できなくなり、１．５〜２ＧＨｚ帯に新たな周波数のサービスが導入された。その結果、移動体通信端末においては、その両方の周波数帯域に対応できるものが要求されてきた。一方高周波半導体技術の進歩も著しく、このような背景の中で、移動体通信用発振器においては少なくとも２つのバンドで発振可能であって、かつ半導体集積回路化に適した電圧制御発振器が要望されていた。
【０００３】
以下、従来の移動体通信装置に使用される移動体通信用発振器について説明する。従来の移動体通信用発振器は図６に示すように、略９００ＭＨｚのローバンドの周波数と略１８００ＭＨｚのハイバンドの周波数とが切替え可能な共振回路１と、この共振回路１に接続された発振回路２と、この発振回路２の出力に接続されたバッファ回路３と、このバッファ回路３の出力が接続された出力端子４とで構成されていた。共振回路１はバリキャップダイオード５とコンデンサ６の並列接続体７と、インダクタ８とインダクタ９の直列接続体１０とが並列された並列接続体１１で形成されていた。
【０００４】
ここで、バリキャップダイオード５には制御入力端子１２から供給される制御電圧により、その静電容量が変化し、発振周波数を連続的に可変させていた。また制御入力端子１２には、ＰＬＬ回路の出力がローパスフィルタを介して接続されていた。
【０００５】
また、周波数のバンド切替えはバンド切替え端子１３からの入力により電子スイッチ１４をオン・オフさせて、インダクタ９の両端を開放・短絡することにより行っていた。
【０００６】
すなわち、ハイバンドの周波数を発振させるときには、電子スイッチ１４をオンしてインダクタ９の両端を短絡させて並列接続体７とインダクタ８との並列接続により略１８００ＭＨｚの周波数が出力されるようになっていた。また、ローバンドの周波数を発振させるときにはインダクタ９の両端を開放させて並列接続体７と直列接続体１０との並列接続により略９００ＭＨｚの周波数が出力されるようになっていた。また、この発振器はＰＬＬ回路にループ接続されて移動体通信装置に用いられていた。
【０００７】
【発明が解決しようとする課題】
しかしながらこのような従来の構成では、ハイバンドとローバンドの切替えにおいて制御電圧に対する周波数感度が異なることになり、ＰＬＬ回路のループフィルタはハイバンド／ローバンド夫々独立した回路を設け、それを切替える必要があった。また、半導体集積回路にこのまま置き換えることも困難であった。
【０００８】
本発明は、このような問題点を解決するもので、ハイバンドとローバンドにおける周波数感度を略等しくするとともに半導体集積回路化に適した移動体通信用発振器を提供することを目的としたものである。
【０００９】
【課題を解決するための手段】
この目的を達成するために本発明の移動体通信用発振器は、平衡増幅回路と、この平衡増幅回路の一方の端子と他方の端子との間に接続されたインダクタとキャパシタの並列接続回路と、前記一方の端子から第１のバッファ回路を介して出力される第１の出力端子と、前記他方の端子から第２のバッファ回路を介して出力される第２の出力端子とから成り、前記インダクタの切替えによりローバンドとハイバンドの周波数を前記出力端子から出力するとともに、外部から供給される電圧で前記周波数の１０分の１以下の範囲内で可変可能な周波数が出力される移動体通信用発振器であって、前記平衡増幅回路と前記バッファ回路とは一つのパッケージ内に集積されるとともに、前記インダクタは第１のインダクタと、電源に接続された中間点を有する第２のインダクタとで構成された第１の直列接続体で形成されるとともに、前記第１のインダクタを略同じインダクタ値に２分割し、この２分割された前記第１のインダクタの間に前記第２のインダクタを接続し、前記キャパシタは、制御入力端子から供給される電圧で静電容量が可変されるバリキャップダイオードと、ハイバンドにおける出力周波数の周波数感度を調整する第１のコンデンサと、ローバンドにおける出力周波数の周波数感度を調整する第２のコンデンサとが直列に接続された第２の直列接続体で形成され、前記第２のインダクタの両端に接続されるとともに前記出力周波数をローバンドとハイバンドに切替える第１のスイッチ手段と、前記第１のコンデンサの両端に接続されるとともにローバンドとハイバンドの周波数感度を略等しくする第２のスイッチ手段を設け、前記第１のスイッチ手段と前記第２のスイッチ手段とはスイッチ端子から入力される第１の信号で前記第１のスイッチ手段を開放するとともに前記第２のスイッチ手段を短絡し、前記スイッチ端子から入力される第２の信号で前記第１のスイッチ手段を短絡するとともに前記第２のスイッチ手段を開放して前記出力端子から出力されるローバンドとハイバンドとの周波数切替えと、ローバンドとハイバンドとの周波数感度を略等しくしたものである。
【００１０】
これにより、ハイバンドとローバンドにおける周波数感度が略等しく、半導体集積回路化に適した移動体通信用発振器を提供することができる。
【００１１】
【発明の実施の形態】
本発明の請求項１に記載の発明は、平衡増幅回路と、この平衡増幅回路の一方の端子と他方の端子との間に接続されたインダクタとキャパシタの並列接続回路と、前記一方の端子から第１のバッファ回路を介して出力される第１の出力端子と、前記他方の端子から第２のバッファ回路を介して出力される第２の出力端子とから成り、前記インダクタの切替えによりローバンドとハイバンドの周波数を前記出力端子から出力するとともに、外部から供給される電圧で前記周波数の１０分の１以下の範囲内で可変可能な周波数が出力される移動体通信用発振器であって、前記平衡増幅回路と前記バッファ回路とは一つのパッケージ内に集積されるとともに、前記インダクタは第１のインダクタと、電源に接続された中間点を有する第２のインダクタとで構成された第１の直列接続体で形成されるとともに、前記第１のインダクタを略同じインダクタ値に２分割し、この２分割された前記第１のインダクタの間に前記第２のインダクタを接続し、前記キャパシタは、制御入力端子から供給される電圧で静電容量が可変されるバリキャップダイオードと、ハイバンドにおける出力周波数の周波数感度を調整する第１のコンデンサと、ローバンドにおける出力周波数の周波数感度を調整する第２のコンデンサとが直列に接続された第２の直列接続体で形成され、前記第２のインダクタの両端に接続されるとともに前記出力周波数をローバンドとハイバンドに切替える第１のスイッチ手段と、前記第１のコンデンサの両端に接続されるとともにローバンドとハイバンドの周波数感度を略等しくする第２のスイッチ手段を設け、前記第１のスイッチ手段と前記第２のスイッチ手段とはスイッチ端子から入力される第１の信号で前記第１のスイッチ手段を開放するとともに前記第２のスイッチ手段を短絡し、前記スイッチ端子から入力される第２の信号で前記第１のスイッチ手段を短絡するとともに前記第２のスイッチ手段を開放して前記出力端子から出力されるローバンドとハイバンドとの周波数切替えと、ローバンドとハイバンドとの周波数感度を略等しくした移動体通信用発振器であり、第１、第２のスイッチ手段により、ローバンドとハイバンドの切替と、ローバンドとハイバンドの周波数感度を等しくすることができる。
従って、この発振器をＰＬＬ回路と接続した場合、ＰＬＬ回路のローパスフィルタをローバンド用とハイバンド用の２種類用意することなく、安定した移動体通信用電圧制御発振器が実現できる。
【００１２】
また、平衡型の発振器としているので、電源Ｖｃｃから流れる電流が常に一定となり、他の回路との干渉妨害を小さくすることができ、これにより高周波化と多機能化によって、より複雑化が避けられない移動体通信装置の高周波発振器を従来並みの占有面積で実現できる。
【００１３】
また、半導体集積回路化しているので、他の回路、例えば低雑音増幅器（以下、ＬＮＡという）や混合器（以下、ＭＩＸという）などとともに集積回路化すれば小型化も図れる。
【００１６】
請求項２に記載の発明は、バリキャップダイオードと並列に第３のコンデンサが接続された請求項１に記載の移動体通信用発振器であり、バリキャップダイオードによる周波数感度を適正化することができる。
【００１７】
請求項３に記載の発明は、第１のインダクタと第２のインダクタはパターンで形成された請求項１に記載の移動体通信用発振器であり、インダクタはパターンで形成されているので、たとえ振動してもインダクタンスの値が変わることはなく、移動体通信用として優れた性能を発揮することになる。
【００１８】
請求項４に記載の発明は、第１のインダクタをトリミングしてハイバンドの出力周波数を調整した後、第２のインダクタをトリミングしてローバンドの出力周波数を調整する請求項３に記載の移動体通信用発振器であり、トリミングによりハイバンドとローバンドの周波数を独立に調整することができる。また、インダクタはパターンで形成されているので、調整した後の周波数は安定している。
【００１９】
請求項５に記載の発明は、多層基板の内層にインダクタが形成されるとともに、このインダクタの上層或いは下層はグランドパターンが除去された請求項４に記載の移動体通信用発振器であり、インダクタンスの近傍にグランドがないので、Ｑの高いインダクタを得ることができ、所望のＣ／Ｎ特性を容易に実現できる。
【００２０】
請求項６に記載の発明は、多層基板の内層にインダクタが形成されるとともに、このインダクタの一部をビアホールで表面に導出し、前記インダクタの一部をトリミングすることにより周波数を調整する請求項４に記載の移動体通信用発振器であり、電子部品の中では形状の大きい部品であるインダクタを基板内の内層に設けるので小型化が実現できる。また、調整に関しては調整用のインダクタが表面に導出されているので、周波数調整が容易にできる。
【００２１】
請求項７に記載の発明のスイッチ手段は、第１のコンデンサと第２のインダクタの両端に夫々スイッチングダイオードを接続し、これらのスイッチングダイオードの両端に外部から電圧を加えることにより、開放・短絡を制御する請求項１に記載の移動体通信用発振器であり、簡単な回路で実現しているので、小型化と低価格化を図ることができる。
【００２３】
以下、本発明の実施の形態について図面を基に説明する。図１は、本発明の移動体通信用発振器の回路図であり、トランジスタで形成された平衡増幅回路２１の一方の端子Ａと他方の端子Ｂとの間にインダクタとキャパシタで形成された共振回路２２が接続され、この共振回路２２を形成するインダクタ２３の両端にスイッチ手段２４が接続されている。また、前記一方の端子Ａからは、トランジスタで形成されたバッファ回路２５を介して出力端子２６に接続され、他方の端子Ｂからは、トランジスタで形成されたバッファ回路２７を介して出力端子２８に接続されている。ここで、バッファ回路２５とバッファ回路２７とは同一の回路である。なお、これらのトランジスタの代わりにＦＥＴを用いても良い。
【００２４】
平衡増幅回路２１は、インダクタ２３の中間点２３ａに設けられた電源Ｖｃｃからインダクタ２３の一方の半分とインダクタ４２を介してトランジスタ３５のコレクタに接続されている。また、インダクタ２３の他方の半分とインダクタ４３を介してトランジスタ３４のコレクタに接続されている。また、このトランジスタ３４と３５のエミッタは接続されて、定電流源３６を介してグランドに接続されている。トランジスタ３４のベースはコンデンサ３７を介してトランジスタ３５のコレクタに接続されるとともに端子Ａに接続されている。同様にトランジスタ３５のベースはコンデンサ３９を介してトランジスタ３４のコレクタに接続されるとともに端子Ｂに接続されている。４０はバイパスコンデンサであり電源Ｖｃｃとグランドとの間に接続されている。
【００２５】
共振回路２２は、端子Ａと端子Ｂとの間にインダクタンスとキャパシタンスを並列接続して形成されている。そしてそのインダクタンスは、パターンで形成されたインダクタ４２と、パターンで形成されたインダクタ２３と、パターンで形成されたインダクタ４３とがこの順序に接続されている。また、インダクタ４２と４３は同じインダクタンス値のものであり、ハイバンド例えば１８００ＭＨｚ帯の周波数を発振させるときに用いるものである。また、このインダクタ４２，４３と、インダクタ２３とが直列に接続されてローバンド、例えば略９００ＭＨｚ帯の周波数の発振に用いられる。
【００２６】
なお、実装面積を小さくする為にインダクタ４２と４３は一つのインダクタとして、どちらか一箇所にまとめることもできる。
【００２７】
また、共振回路２２のキャパシタンスは、ローバンドの周波数感度を調整するコンデンサ４７と、バリキャップダイオード４８と、ハイバンドの周波数感度を調整するコンデンサ４９と、直流カット用のコンデンサ４４とがこの順に接続されている。また、バリキャップダイオード４８の両端には、このバリキャップダイオード４８の周波数感度を補正するコンデンサ５０が接続されて、そのカソード側にはインダクタ５１（抵抗でも可）を介して制御入力端子５２に接続されている。また、バリキャップダイオード４８のアノード側は、抵抗５３を介してグランドに接続されている。なお、コンデンサ４７は直流カットの働きもしている。
【００２８】
ここで、制御入力端子５２に制御電圧を加えると電流はインダクタ５１、バリキャップダイオード４８、抵抗５３と流れてバリキャップダイオード４８の両端に電圧が加わる。そこで、制御入力端子５２に加える電圧を変化させるとバリキャップダイオード４８に加わる電圧が変化し、バリキャップダイオード４８の静電容量が変化する。
【００２９】
２４はスイッチ手段であり、インダクタ２３の両端にコンデンサ５４とダイオード５５とコンデンサ３８がこの順に直列に接続されている。この接続点であるダイオード５５のカソード側から抵抗５６を介してスイッチ端子５７に接続されるとともにコンデンサ５８を介してグランドに接続されている。また、ダイオード５５のアノード側からは、抵抗５９を介してスイッチ端子６０に接続されるとともにコンデンサ６１を介してグランドに接続されている。
【００３０】
コンデンサ４９の両端には、コンデンサ６２とダイオード６３が直列に接続されている。この接続点であるとともにダイオード６３のアノード側から抵抗６４を介して前記スイッチ端子５７に接続されている。また、ダイオード６３のアノード側には抵抗４１を介してスイッチ端子６０に接続されている。ここで、コンデンサ５８と６１はバイパスコンデンサであり、コンデンサ５４と３８と６２は直流カット用のコンデンサである。
【００３１】
なお、ダイオード６３に並列接続されたコンデンサ４９は、本実施の形態ではバリキャップダイオード４８と直列に接続しているが、これは、バリキャップダイオード４８と並列に接続してもローバンドとハイバンドの周波数感度を略等しくすることができる。
【００３２】
以上のように構成された移動体通信用発振器において、スイッチ端子５７の電圧をスイッチ端子６０の電圧より高くすると、ダイオード５５が開放（以下、オフという。）になるとともにダイオード６３が短絡（以下、オンという。）になる。すなわち、このときの等価回路は図２に示すようになる。
【００３３】
図２において、インダクタ４２とインダクタ２３とインダクタ４３が直列接続された直列接続体６５とし、コンデンサ５０とバリキャップダイオード４８が並列接続された並列接続体６６と、この並列接続体６６とコンデンサ４７とが直列に接続された直列接続体６７とすると、端子ＡＢ間のインピーダンスは直列接続体６５と直列接続体６７の並列接続となる。従って、このときの共振周波数は、インダクタンスである直列接続体６５とキャパシタンスである直列接続体６７の並列共振周波数になる。ここで、制御入力端子５２に加える制御電圧を可変することにより、ローバンドの周波数を可変することができる。このローバンドは、本実施の形態では図４の８０に示すように、周波数は略９００ＭＨｚで制御電圧による周波数可変幅８１は５０〜７０ＭＨｚである。図４において、横軸は周波数であり縦軸は出力レベルである。
【００３４】
また、図１において、スイッチ端子５７の電圧をスイッチ端子６０の電圧より低くすると、ダイオード５５がオンになるとともにダイオード６３がオフになる。すなわち、このときの等価回路は図３に示すようになる。
【００３５】
図３において、インダクタ４２とインダクタ４３が直列接続された直列接続体６９とし、コンデンサ５０とバリキャップダイオード４８が並列接続された並列接続体６６と、この並列接続体６６とコンデンサ４７とコンデンサ４９が直列に接続された直列接続体７０とすると、端子ＡＢ間のインピーダンス（図面には番号の記載なし）は直列接続体６９と直列接続体７０の並列接続となる。従って、このときの共振周波数は、インダクタンスである直列接続体６９とキャパシタンスである直列接続体７０の並列共振周波数になる。ここで、制御入力端子５２に加える制御電圧を可変することにより、ハイバンドの周波数を可変することができる。このハイバンドは、本実施の形態では図４の８２に示すように、周波数は略１８００ＭＨｚで制御電圧による周波数可変幅８３は８０〜１００ＭＨｚである。図４において、横軸は周波数であり縦軸は出力レベルである。
【００３６】
なお、ここでローバンドはＧＳＭの９００ＭＨｚとしたがＡＭＰＳでは８００ＭＨｚとなる。また、ハイバンドではＧＳＭの１８００ＭＨｚとしたがＰＣＳでは１９００ＭＨｚとなる。
【００３７】
図５は本発明の移動体通信用発振器に用いた多層基板７１の分解斜視図である。図５において、７２は多層基板７１の１層目の表面であり電子部品が装着されている。７３は２層目でありグランドパターン７４が一面に設けられている。７５は３層目でありパターンで形成されたインダクタ７６が形成されている。７７は４層目でありグランドパターン７８が一面に設けられている。
【００３８】
７６ａはインダクタ７６からビアホール７９で１層目に導出されたインダクタの一部である。このインダクタの一部７６ａは、確実に調整範囲をカバーできるようにインダクタ７６の１０分の１程度のインダクタとしている。このようにインダクタ７６の一部を多層基板７１の表面に導出することにより、インダクタンスの調整が容易となる。
【００３９】
ここで、インダクタ７６の上層７３のグランドパターン７４は、インダクタ７６のＱを大きくするために、その対応する部分にグランドパターンの不形成部７４ａを設けている。また、インダクタ７６の下層７７のグランドパターン７８にも同様の理由でインダクタ７６のＱを大きくするために、その対応する部分にグランドパターンの不形成部７８ａを設けている。
【００４０】
このように、インダクタンスの大部分を多層基板７１の内層に形成することにより、小型化を図ることができる。また、インダクタ７６はパターンで形成されているので、例え振動してもインダクタンスの値が変ることはなく移動体通信用としては優れた性能を発揮することになる。
【００４１】
なお、このインダクタ７６とその１部７６ａは、図１のインダクタ２３，４２，４３が適用できる。
【００４２】
以上説明したように、本実施の形態における移動体通信用発振器は、ローバンドの出力周波数の感度を調整するコンデンサ４７と、ハイバンドの出力周波数の感度を調整するコンデンサ４９とを夫々独立に有しているので、これらのコンデンサ４７，４９により、ハイバンドとローバンドにおける発振周波数の感度を夫々独立に設定できるとともに、ローバンドとハイバンドの周波数感度を等しくすることができる。
【００４３】
また、平衡型の発振器としているので、電源端子Ｖｃｃに流れる電流が常に一定となり、他の回路との干渉妨害を小さくすることができ、これにより高周波化と多機能化によって、より複雑化が避けられない移動体通信装置の高周波発振器を従来並みの占有面積で実現できる効果がある。
【００４４】
また、インダクタ４２とインダクタ４３とは略同じインダクタンス値にすると共に、この間にインダクタ２３が接続されている。従って、スイッチ手段２４が接続されるインダクタ２３の中間点２３ａに電源端子Ｖｃｃを設け、その両側にインダクタ４２とインダクタ４３が接続されるので、スイッチ手段２４の影響が少なくなるとともに、共振回路の平衡度も良い。
【００４５】
また、最初にインダクタ２３をダイオード５５で短絡してインダクタ４２か或いはインダクタ４３をトリミングすることによりハイバンドの周波数を独立に調整することができる。次に、ダイオード５５を開放してインダクタ２３をトリミングすることによりローバンドの周波数を独立に調整することができる。
【００４６】
また、バリキャップダイオード４８と並列にコンデンサ５０が接続されているので、バリキャップダイオード４８の周波数感度を容易に補正することができる。
【００４７】
【発明の効果】
以上のように本発明によれば、平衡増幅回路とバッファ回路とは一つのパッケージ内に集積されるとともに、前記インダクタは第１のインダクタと、電源に接続された中間点を有する第２のインダクタとで構成された第１の直列接続体で形成されるとともに、前記第１のインダクタを略同じインダクタ値に２分割し、この２分割された前記第１のインダクタの間に前記第２のインダクタを接続し、前記キャパシタは、制御入力端子から供給される電圧で静電容量が可変されるバリキャップダイオードと、ハイバンドにおける出力周波数の周波数感度を調整する第１のコンデンサと、ローバンドにおける出力周波数の周波数感度を調整する第２のコンデンサとが直列に接続された第２の直列接続体で形成され、前記第２のインダクタの両端に接続されるとともに前記出力周波数をローバンドとハイバンドに切替える第１のスイッチ手段と、前記第１のコンデンサの両端に接続されるとともにローバンドとハイバンドの周波数感度を略等しくする第２のスイッチ手段を設け、前記第１のスイッチ手段と前記第２のスイッチ手段とはスイッチ端子から入力される第１の信号で前記第１のスイッチ手段を開放するとともに前記第２のスイッチ手段を短絡し、前記スイッチ端子から入力される第２の信号で前記第１のスイッチ手段を短絡するとともに前記第２のスイッチ手段を開放して前記出力端子から出力されるローバンドとハイバンドとの周波数切替えと、ローバンドとハイバンドとの周波数感度を略等しくしたものであり、バリキャップダイオードと直列に接続された第１のコンデンサの両端を開放・短絡することにより、ローバンドとハイバンドの周波数感度を等しく設定することができる。従って、この発振器をＰＬＬ回路にループ接続した場合、ＰＬＬ回路のローパスフィルタをローバンド用とハイバンド用の２種類用意することなく、適正なロックアップタイムで適正に切替えることができる。
【００４８】
また、平衡型の発振器としているので、常に電源に流れる電流が一定となり、他の回路との干渉妨害を小さくすることができ、これにより移動体通信装置に用いる高周波発振器を従来の占有面積で実現できる効果がある。また、半導体集積回路化が容易で、例えばＬＮＡやＭＩＸとともに集積回路化すれば更なる小型化・低価格化が図れる。
【図面の簡単な説明】
【図１】本発明の一実施の形態による移動体通信用発振器の回路図
【図２】同、スイッチ手段のスイッチ開放時の共振回路の等価回路図
【図３】同、スイッチ手段のスイッチ短絡時の共振回路の等価回路図
【図４】同、周波数バンドの説明図
【図５】同、多層基板の分解斜視図
【図６】従来の移動体通信用発振器の回路図
【符号の説明】
２１  平衡増幅回路
２２  共振回路
２３  インダクタ
２４  スイッチ手段
２５  バッファ回路
２６  出力端子
２７  バッファ回路
２８  出力端子
４２  インダクタ
４３  インダクタ
４７  コンデンサ
４８  バリキャップダイオード
４９  コンデンサ
５０  コンデンサ
５１  インダクタ
５２  制御入力端子
５５  ダイオード
５７  スイッチ端子
６０  スイッチ端子
６３  ダイオード
【図１】
0003664006.tif 000002
【図２】
0003664006.tif 000003
【図３】
0003664006.tif 000004
【図４】
0003664006.tif 000005
【図５】
0003664006.tif 000006
【図６】
0003664006.tif 000007